【手続補正書】
【提出日】平成22年10月12日(2010.10.12)
【手続補正１】
【補正対象書類名】特許請求の範囲
【補正対象項目名】全文
【補正方法】変更
【補正の内容】
【特許請求の範囲】
【請求項１】
１つ又はそれ以上の電流制限を検出するためのデバイスであって、
ユーザ設定の電流制限を検出するよう動作される電流制限検出器を含む検出器と、
前記電流制限検出器に結合された複数の抵抗デバイスであって、各々の抵抗デバイスは、その両端の電圧降下を生成する電流和を導通するように構成されており、且つそれぞれのユーザ設定の電流制限に関連付けられた、複数の抵抗デバイスと、
前記複数の抵抗デバイスに結合され、選択信号に応じて前記複数の抵抗デバイスの１つを選択するよう動作する選択スイッチと、
を備え、
前記検出器は、前記複数の抵抗デバイスの選択された抵抗デバイスに導通される前記電流和に基づいて、前記電流和を段階的に低減することによって前記電流制限検出器が検出するよう動作される何らかのユーザ設定の電流制限を可能にするように構成されていることを特徴とするデバイス。
【請求項２】
前記検出器は前記検出されたユーザ設定の電流制限を電流制限コントローラに伝達するよう動作することをさらに特徴とする請求項１に記載のデバイス。
【請求項３】
前記複数の抵抗デバイスの各々は、接地端子を含み、前記選択スイッチは、前記複数の抵抗デバイスの各々の接地端子に結合されることを特徴とする請求項１に記載のデバイス。
【請求項４】
前記選択スイッチは、前記選択信号の変化に応じて前記複数の抵抗デバイスのうちの異なる抵抗デバイスを選択するよう動作することをさらに特徴とする請求項１に記載のデバイス。
【請求項５】
１つ又はそれ以上の電流制限を検出するためのデバイスであって、
ユーザ設定の電流制限をそれぞれ検出する複数の電流制限検出器を含む検出器と、
前記複数の電流制限検出器にそれぞれ結合された複数の抵抗デバイスであって、それぞれの抵抗デバイスは前記ユーザ設定の電流制限にそれぞれ関連付けられた抵抗値を有し、電圧降下を生じる各電流和を導通するようにされている、複数の抵抗デバイスと、
前記複数の電流制限検出器の各々に結合され、選択信号に応じて前記複数の電流制限検出器のいずれか１つを選択する選択スイッチと、
を備え、
前記検出器は、前記複数の電流制限検出器のうちの選択された電流制限検出器の抵抗デバイスに導通されるそれぞれの前記電流和に基づいて、当該電流和を段階的に低減することによって、前記複数の電流制限検出器が検出するように動作される何らかのユーザ設定の電流制限を提供するように構成されていることを特徴とするデバイス。
【請求項６】
前記抵抗値は、前記ユーザ設定の電流制限に基づいて事前に設定されることを特徴とする請求項５に記載のデバイス。
【請求項７】
各電流制限検出器は、前記検出されたそれぞれのユーザ設定の電流制限を前記選択信号に応じて電流制限コントローラに伝達するよう動作することをさらに特徴とする請求項５に記載のデバイス。
【請求項８】
前記複数の抵抗デバイスの各々は、接地端子を含む端子を含み、前記接地端子で接地に結合され、前記端子の別の端子で前記複数の電流制限検出器のそれぞれの電流制限検出器に結合されていることを特徴とする請求項５に記載のデバイス。
【請求項９】
各電流経路に導通される電流の量は、そのそれぞれの電流スイッチのスケールに基づくことを特徴とする請求項５に記載のデバイス。
【請求項１０】
前記電圧降下と前記高閾値電圧との間の比較は、前記電圧降下が前記高閾値電圧を超えるかどうかを判断することを含むことを特徴とする請求項５に記載のデバイス。
【請求項１１】
各電流経路は、当該電流経路に固有の量の電流を導通するように構成されることをさらに特徴とする請求項５に記載のデバイス。
【請求項１２】
１つ又はそれ以上の電流制限を検出するための方法であって、
選択スイッチから受け取られた選択信号に基づいて、各々がそれぞれのユーザ設定の電流制限に関連付けられた抵抗値を有し且つそれぞれの電流和を導通するように各々構成されている複数の抵抗デバイスの１つの抵抗デバイスを選択するステップと、
電流制限検出器において前記選択された抵抗デバイスに関連付けられたユーザ設定の電流制限を検出するステップと、
を含み、
前記ユーザ設定の電流制限は、前記選択された抵抗デバイスに導通される前記電流和に基づいて、前記電流和を段階的に低減することによって検出されるようにすることを特徴とする方法。
【請求項１３】
前記抵抗値は、前記ユーザ設定の電流制限に基づいて事前に設定されることを特徴とする請求項１２に記載の方法。
【請求項１４】
前記検出されたユーザ設定の電流制限を電流制限コントローラに伝達するステップをさらに含むことを特徴とする請求項１２に記載の方法。
【請求項１５】
前記選択信号の変化に応じて前記複数の抵抗デバイスのうちの異なる抵抗デバイスを選択するステップをさらに含むことを特徴とする請求項１２に記載の方法。
【請求項１６】
複数の電流経路に流れ且つ前記選択された抵抗デバイスに流れる電流和に合成される複数の電流によって生成される電圧降下と、高閾値電圧とを比較するステップをさらに含み、
前記選択された抵抗デバイスの抵抗値は、前記電流和と前記選択されて抵抗デバイスに関連付けられた前記ユーザ設定の電流制限との間の関係を確立するように設定され、前記各電流経路は、電流を導通するように構成され、その少なくとも１つが電流導通を遮断するよう動作可能な電流スイッチを含み、
前記方法は、
前記比較に応じて前記電流スイッチの１つ又はそれ以上を段階的に動作することによって、前記電流和と前記選択された抵抗デバイスのユーザ設定電流制限との間の関係を確立るステップと、
前記電流和に関連付けられた前記選択された抵抗デバイスのユーザ設定の電流制限を検出するステップと、
をさらに含むことを特徴とする請求項１２に記載の方法。
【請求項１７】
１つ又はそれ以上の電流制限を検出するための方法であって、
検出器において、それぞれのユーザ設定の電流制限に関連付けられた予め設定された抵抗値の抵抗デバイスを各々が含み、且つそれぞれの電流和を導通するように構成されている複数の電流制限検出器のうちのいずれかである電流制限検出器を、選択スイッチから受け取られた選択信号に基づいて選択するステップと、
前記選択された電流制限検出器において、前記それぞれのユーザ設定の電流制限を検出するステップと、
を含み、
前記それぞれのユーザ設定の電流制限は、前記それぞれの抵抗デバイスに導通される前記電流和に基づいて前記電流和を段階的に低減することによって検出されることを特徴とする方法。
【請求項１８】
前記検出されたユーザ設定の電流制限を電流制限コントローラに伝達するステップをさらに含むことを特徴とする請求項１７に記載の方法。
【請求項１９】
前記選択信号の変化に応じて前記複数の電流制限検出器のうちの異なる電流制限検出器を選択するステップをさらに含むことを特徴とする請求項１７に記載の方法。
【請求項２０】
前記選択された電流制限検出器において、複数の電流経路に流れ且つ前記選択された抵抗デバイスに流れる電流和に合成される複数の電流によって生成される電圧降下と高閾値電圧とを比較するステップをさらに含み、
前記選択された抵抗デバイスは、前記選択された電流制限検出器に含まれる特定の抵抗デバイスであり、前記選択された抵抗デバイスの予め設定された抵抗値は、前記電流和と前記選択された電流制限検出器に関連付けられた前記ユーザ設定の電流制限との間の関係を確立するように設定されており、前記各電流経路は、電流を導通するように構成され、その少なくとも１つが電流導通を遮断するよう動作可能な電流スイッチを含み、
前記方法は、
前記選択された電流制限検出器において、前記比較に応じて前記電流スイッチの１つ又はそれ以上を段階的に動作することによって、前記電流和と前記選択された電流制限検出器のユーザ設定の電流制限との間の関係を確立するステップと、
前記電流和に関連付けられた前記選択された電流制限検出器のユーザ設定の電流制限を検出するステップと、
をさらに含むことを特徴とする請求項１７に記載の方法。
【請求項２１】
１つ又はそれ以上の電流制限を検出するための装置であって、
ユーザ設定の電流制限を検出するよう動作する検出器と、
各々がそれぞれのユーザ設定の電流制限に関連付けられた抵抗値を有する複数の抵抗デバイスであって、各々の抵抗デバイスはその両端の電圧降下を生成する電流和を導通するように構成された、複数の抵抗デバイスと、
選択信号に応じて前記複数の抵抗デバイスの１つを選択するよう動作する選択スイッチと、
前記検出器に動作可能に結合され、前記検出されたユーザ設定の電流制限を超えないように出力電流を制限するよう動作する電流制限コントローラと、
を備え、
前記検出器は、前記複数の抵抗デバイスの選択された抵抗デバイスに導通される前記電流和に基づいて、当該電流和を段階的に低減することによってユーザ設定の電流制限を検出するように構成されていることを特徴とする装置。
【請求項２２】
前記検出器は、
各々が電流を導通するように構成され、少なくとも１つが電流導通を遮断するよう動作可能な電流スイッチを含み、そこを貫流する電流が全体として合成されて電流和を生成する複数の電流経路と、
高閾値電圧を供給するよう動作する高基準電圧端子と、
複数の入力と１つの出力とを含み、前記入力の１つが前記高閾値電圧を受け取るよう動作し、前記入力の別の入力は、前記複数の抵抗デバイスの選択された抵抗デバイスに動作可能に結合されている、ハイレベル比較器と、
を備え、
前記ハイレベル比較器が、前記電圧降下と前記高閾値電圧との間の比較に応じた信号を前記出力で生成し、前記出力は、前記電流和を段階的に低減することによって、前記電流和に関連するユーザ設定の電流制限を段階的に検出するように前記電流スイッチを動作するよう構成されており、
前記電流制限検出器に結合された前記複数の抵抗デバイスの各々の端子は、前記複数の電流経路に結合されていることを特徴とする請求項１，５および２１のいずれかに記載の装置。
【請求項２３】
前記検出器が複数の電流制限検出器を含み、
前記電流制限検出器の各々は、
各々が電流を導通するように構成され且つ少なくとも１つが電流導通を遮断するよう動作可能な電流スイッチを含み、そこを貫流する電流が全体として合成されて電流和を生成する複数の電流経路と、
高閾値電圧を供給するよう動作する高基準電圧端子と、
複数の入力と１つの出力と含み、前記入力の１つが、前記高閾値電圧を受け取るよう動作し、前記入力の別の入力は、それぞれの抵抗デバイスに動作可能に結合されている、ハイレベル比較器と、
を備え、
前記ハイレベル比較器が、前記電圧降下と前記高閾値電圧との比較に応じた信号を前記出力で生成し、前記出力は、前記それぞれの電流和を段階的に低減することによって、前記それぞれの電流和に関連するそれぞれのユーザ設定の電流制限を段階的に検出するように前記電流スイッチを動作するよう構成されており、
前記それぞれの電流制限検出器に結合された前記複数の抵抗デバイスの各々の端子は、前記それぞれの複数の電流経路に結合されていることを特徴とする請求項２１に記載の装置。
【請求項２４】
前記出力電流を制限する工程は、前記電流制限コントローラにおいて、前記出力電流の制限における１ステップに各々が関連付けられる制御信号のシーケンスを出力する工程を含み、前記電流制限検出器及び前記電流制限コントローラに動作可能に結合され、前記電流制限コントローラから受け取られた前記制御信号のシーケンスに応じて前記出力電流を調節するよう動作する電流制限部をさらに備えることを特徴とする請求項２１に記載の装置。
【請求項２５】
前記電流制限コントローラと協働し、バーストパワーを供給できるエネルギー蓄積を提供するように構成された電荷蓄積デバイスを更に備えることを特徴とする請求項２１に記載の装置。